(57)【要約】【課題】シーン削除に関わる時間を短縮して編集時間を短縮することにより、使い勝手を向上させた記録媒体再生装置を提供することである。【解決手段】記録媒体再生装置は、編集モードにおいて、過去にこのタイトルからシーン削除されている場合は、前回削除されたシーンの直後を再生開始位置とし、過去にこのタイトルからシーン削除されていない場合は、タイトルの先頭を再生開始位置とし、現在の再生位置をシーン削除の開始位置とするための入力コマンドを受け付け、現在の再生位置をシーン削除の終了位置とするための入力コマンドを受け付け、前記開始位置と前記終了位置とを認証するための入力コマンドを受け付ける構成とする。【選択図】図２
2007213648.tif 000002
【特許請求の範囲】
【請求項１】
記録媒体に記録された所定のタイトルから所望のシーンを削除する編集モードを備えた記録媒体再生装置であって、
前記編集モードにおいて、
過去に前記タイトルからシーン削除されている場合は、前回削除されたシーンの直後を再生開始位置とし、
過去に前記タイトルからシーン削除されていない場合は、前記タイトルの先頭を再生開始位置とし、
現在の再生位置をシーン削除の開始位置とするための入力コマンドを受け付け、
現在の再生位置をシーン削除の終了位置とするための入力コマンドを受け付け、
前記開始位置と前記終了位置とを認証するための入力コマンドを受け付けることを特徴とする記録媒体再生装置。
【請求項２】
記録媒体に記録された所定のタイトルから所望のシーンを削除する編集モードを備えた記録媒体再生装置であって、
前記編集モードにおいて、過去に前記タイトルからシーン削除されている場合は、前回削除されたシーンの直後を再生開始位置とすることを特徴とする記録媒体再生装置。
【請求項３】
前記編集モードにおいて、過去に前記タイトルからシーン削除されていない場合は、前記タイトルの先頭を再生開始位置とすることを特徴とする請求項２記載の記録媒体再生装置。
【発明の詳細な説明】
【技術分野】
【０００１】
本発明は、記録媒体に記録された所定のタイトルから所望のシーンを削除する編集モードを備えた記録媒体再生装置に関する。
【背景技術】
【０００２】
近年、家庭でのテレビ放送のコンテンツの録画にはＤＶＤ等の光ディスク装置やハードディスクレコーダが用いられるようになっている。これら機器の機能の一つにコンテンツの或るシーンを削除する編集機能がある。この編集機能を用いると、ユーザは録画したコンテンツからＣＭ等のシーンを削除することができる。そして、このような編集機能の使い勝手を向上させるために様々な提案がなされている。
【０００３】
例えば、特許文献１には、新たな再生順序においてユーザの指示により編集された位置を示すエントリー情報を新たな管理情報に付与する手段と、エントリー情報が付与された新たな管理情報をディジタル記録媒体に記録する記録手段とを備えた編集装置が開示されている。
【０００４】
また例えば、特許文献２には、記録したデータについて、各種編集内容を編集対象の実体データとは別の情報として記録管理する手段を有した記録再生装置が開示されている。
【０００５】
また例えば、特許文献３には、記録型リムーバルメディアからラストポジションに対応する情報が削除された場合でも、所定の位置から情報の再生ができるリムーバルメディアの再生方式が開示されている。
【特許文献１】特開２００２−８４４９５号公報
【特許文献２】特開２００１−１０１８３７号公報
【特許文献３】特開２００４−９５０１４号公報
【発明の開示】
【発明が解決しようとする課題】
【０００６】
従来、編集作業において或るシーンを削除すると、再生位置がタイトルの先頭に戻っていた。そのため、続けてシーン削除を行う場合、ユーザは所望のシーンまで早送りしなければならず、手間と時間が掛かっていた。しかしながら、特許文献１〜３では、ユーザがシーン削除に関わる時間を短縮する技術、つまりシーン削除に掛かる手間を削減する技術についての記載はない。
【０００７】
本発明は、シーン削除に関わる時間を短縮して編集時間を短縮することにより、使い勝手を向上させた記録媒体再生装置を提供することを目的とする。
【課題を解決するための手段】
【０００８】
上記目的を達成するために本発明は、記録媒体に記録された所定のタイトルから所望のシーンを削除する編集モードを備えた記録媒体再生装置であって、
前記編集モードにおいて、過去に前記タイトルからシーン削除されている場合は、前回削除されたシーンの直後を再生開始位置とすることを特徴とする。
【０００９】
この構成によると、シーン削除した後も続けてその位置から再生が続けられる。
【００１０】
また、前記編集モードにおいて、過去に前記タイトルからシーン削除されていない場合は、前記タイトルの先頭を再生開始位置とすることを特徴とする。
【００１１】
この構成によると、そのタイトルについて初めてシーン削除する場合はタイトルの先頭から再生される。
【００１２】
上記の本発明を具体化すると、記録媒体に記録された所定のタイトルから所望のシーンを削除する編集モードを備えた記録媒体再生装置であって、
前記編集モードにおいて、
過去に前記タイトルからシーン削除されている場合は、前回削除されたシーンの直後を再生開始位置とし、
過去に前記タイトルからシーン削除されていない場合は、前記タイトルの先頭を再生開始位置とし、
現在の再生位置をシーン削除の開始位置とするための入力コマンドを受け付け、
現在の再生位置をシーン削除の終了位置とするための入力コマンドを受け付け、
前記開始位置と前記終了位置とを認証するための入力コマンドを受け付ける構成となる。
【発明の効果】
【００１３】
本発明によれば、編集するタイトルから過去にシーン削除されている場合は、前回削除されたシーンの直後を再生開始位置とすることにより、シーン削除する毎にタイトルの先頭から検索する必要がないので、シーン削除に関わる時間を短縮して編集時間を短縮することができる。これにより、装置の使い勝手が向上する。
【００１４】
また、編集するタイトルから過去にシーン削除されていない場合は、このタイトルの先頭を再生開始位置とすることにより、そのタイトルについて初めてシーン削除する場合にも対応することができる。
【発明を実施するための最良の形態】
【００１５】
以下、記録媒体再生装置の一例として、ハードディスクドライブ（ＨＤＤ）一体型光ディスク装置を用いて説明する。図１は、ＨＤＤ一体型光ディスク装置の構成及びその周辺機器を示すブロック図である。ＨＤＤ一体型光ディスク装置１０には、テレビ等の表示装置１１やビデオデッキ等の外部装置１２が接続される。またＨＤＤ一体型光ディスク装置１０は、リモコン１３によって操作可能である。以下では、光ディスクとしてＤＶＤを例に説明する。
【００１６】
ＨＤＤ一体型光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データを記録したり、記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１７】
また、制御部２６は、記録媒体であるＤＶＤやＨＤＤに記録された所定のタイトルから所望のシーンを削除する際の編集モードの制御も行う。以下に編集モードについて説明する。
【００１８】
図２は、編集モード時のＨＤＤ一体型光ディスク装置１０の録画動作を示すフローチャートである。リモコン１３やＨＤＤ一体型光ディスク装置１０の操作パネル（不図示）がユーザにより操作され、所定のタイトルについて編集モードが選択決定され、続いてシーン削除メニューが選択決定されると、制御部２６は編集モードのシーン削除メニューを起動し、ステップＳ１０においてユーザにより指定されたタイトルから過去にシーン削除されたか否かを判別する。シーン削除とは、或るタイトルからＣＭ等の不要なシーンを削除することであり、編集機能の一つである。削除されたシーンは、編集されたタイトルを再生する際に飛ばして再生されるだけであり、そのデータ自体が消去されるわけではない。
【００１９】
ステップＳ１０において過去にシーン削除されたことがあると判別された場合は、ステップＳ１１へ進んで、前回削除されたシーンの直後を再生開始位置とする。一方、ステップＳ１０において過去にシーン削除されたことがないと判別された場合は、ステップＳ１２へ進んで、このタイトルの先頭を再生開始位置とする。従って、指定されたタイトルについて、２回目以降のシーン削除の作業時には前回削除されたシーンの直後から再生され、初めてシーン削除する場合はタイトルの先頭から再生される。
【００２０】
そして、所定の位置から再生が開始されると、ステップＳ１３へ進んで、表示装置１１に表示された入力コマンドを受け付ける状態とする。ここでの入力コマンドは、現在の再生位置をシーン削除の開始位置に指定するコマンドである。図３に、シーン削除の開始位置を指定する画面の一例を示す。画面３０は、再生されるタイトルの動画３１と、タイトルの時間を表す時間スケール３２と、時間スケール３２中に縦線で表され、現在の再生箇所を示す再生位置カーソル３３と、ユーザが削除開始位置を指定するStart Pointボタン３４と、シーン削除メニューを抜けるReturnボタン３５とから構成される。
【００２１】
ステップＳ１３においてStart Pointボタン３４が選択決定されると、ステップＳ１４へ進んで、現在の再生位置を削除開始位置としてメモリ２３に記憶する。一方、ステップＳ１３においてReturnボタン３５が選択決定されると、シーン削除メニューを終了する。
【００２２】
ステップＳ１４からステップＳ１５へ進むと、表示装置１１に新たに表示された入力コマンドを受け付ける状態とする。ここでの入力コマンドは、現在の再生位置をシーン削除の終了位置に指定するコマンドである。図４に、シーン削除の終了位置を指定する画面の一例を示す。画面４０では、画面３０のStart Pointボタン３４に替えて、ユーザが指定した削除開始位置を破棄するStart Point Cancelボタン４１と、ユーザが削除終了位置を指定するEnd Pointボタン４２とが表示される。
【００２３】
ステップＳ１５においてEnd Pointボタン４２が選択決定されると、ステップＳ１６へ進んで、現在の再生位置を削除終了位置としてメモリ２３に記憶する。一方、ステップＳ１５においてStart Point Cancelボタン４１が選択決定されると、削除開始位置を間違って指定したと判断して、ステップＳ１７へ進んでメモリ２３に記憶してある削除開始位置を破棄し、ステップＳ１３に戻る。また、ステップＳ１５においてReturnボタン３５が選択決定されると、シーン削除メニューを終了する。
【００２４】
ステップＳ１６からステップＳ１８へ進むと、表示装置１１に新たに表示された入力コマンドを受け付ける状態とする。ここでの入力コマンドは、シーン削除の開始位置と終了位置とを認証するコマンドである。図５に、シーン削除を認証する画面の一例を示す。画面５０では、画面４０のStart Point Cancelボタン４１及びEnd Pointボタン４２に替えて、ユーザが指定した削除終了位置を破棄するEnd Deleteボタン５１と、ユーザが指定した開始位置と終了位置とを確定させるUpdateボタン５２とが表示される。また、時間スケール３２中にシーン削除対象範囲５３が表示される。
【００２５】
ステップＳ１８においてUpdateボタン５２が選択決定されると、ステップＳ１９へ進んで、メモリ２３に記憶されたシーン削除の開始位置と終了位置とを確定させるため、編集に関する制御情報を更新する。制御情報を更新した後は、ステップＳ１０に戻るようにしてもよいし、シーン削除メニューを終了するようにしてもよい。一方、ステップＳ１８においてEnd Deleteボタン５１が選択決定されると、削除終了位置を間違って指定したと判断して、ステップＳ２０へ進んでメモリ２３に記憶してある削除終了位置を破棄し、ステップＳ１５に戻る。また、ステップＳ１８においてReturnボタン３５が選択決定されると、シーン削除メニューを終了する。
【００２６】
上記のシーン削除の処理において、記録媒体がＤＶＤの場合は、シーン削除の開始位置や終了位置として、タイトル及びアドレスを記憶すればよい。また記録媒体がＨＤＤの場合は、シーン削除の開始位置や終了位置として、タイトル及び時間を記憶すればよい。
【００２７】
次に、上記のシーン削除の具体例として、ＤＶＤに録画した未編集の或るタイトルを編集してＣＭを削除する場合の手順について説明する。ユーザはまず、ＤＶＤの所望のタイトルを選択決定し、続いて編集モードを選択決定し、更にシーン削除メニューを選択決定する。そうすると、図３のような画面が表示され、動画３１はタイトルの先頭から再生されるので、動画３１を見ながら削除したいＣＭが再生されれば、Start Pointボタン３４を選択決定する。これによりシーン削除の開始位置としてタイトル及びアドレスがメモリ２３に記憶される。そうすると図４のような画面が表示されるので、ＣＭが終わる時点でEnd Pointボタン４２を選択決定する。これによりシーン削除の終了位置としてタイトル及びアドレスがメモリ２３に記憶される。そうすると図５のような画面が表示されるので、Updateボタン５２を選択決定する。これにより制御情報が更新され削除するシーンが登録される。そうすると図３のような画面に戻りシーン削除の終了位置直後から再生が続くので、次のＣＭが再生されれば上記と同様にシーン削除を行えばよい。なお、動画３１の再生中は、早送りや巻き戻しなど再生に関わる操作を行うことができる。
【００２８】
上記の実施形態のように、編集するタイトルから過去にシーン削除されている場合は、前回削除されたシーンの直後を再生開始位置とすることにより、シーン削除する毎にタイトルの先頭から検索する必要がないので、シーン削除に関わる時間を短縮し、編集時間を短縮することができる。これにより、装置の使い勝手が向上する。
【産業上の利用可能性】
【００２９】
本発明は、ＤＶＤ等の光ディスク装置やハードディスクレコーダ、ハードディスクドライブ一体型光ディスク装置をはじめ、編集機能を備えた様々な記録媒体の再生装置に利用することができる。
【図面の簡単な説明】
【００３０】
【図１】ＨＤＤ一体型光ディスク装置の構成及びその周辺機器を示すブロック図である。
【図２】編集モード時のＨＤＤ一体型光ディスク装置の録画動作を示すフローチャートである。
【図３】シーン削除の開始位置を指定する画面の一例である。
【図４】シーン削除の終了位置を指定する画面の一例である。
【図５】シーン削除を認証する画面の一例である。
【符号の説明】
【００３１】
１０    ＨＤＤ一体型光ディスク装置（記録媒体再生装置）
【図３】
2007213648.tif 000003
【図４】
2007213648.tif 000004
【図５】
2007213648.tif 000005
【図１】
2007213648.tif 000006
【図２】
2007213648.tif 000007